(57)【要約】      （修正有）【課題】玄関マット等の被せ部材と該被せ部材を取り付ける相手取付け面との間に介装して、被せ部材の滑りを防止する滑止め部材において、被せ部材の脱着が容易で、剥がし跡を残さない滑止め部材を提供する。【解決手段】滑止め部材２は、ベースシート３の表面に相手被せ部材１に対する引掛かり突起群４が形成され、裏面に吸盤５又は滑止め層が設けられている。引掛かり突起群４が、被せ部材１の繊維と絡まり、吸盤５又は滑止め層が床面との滑りを防止する。粘着テープを用いないので、剥がし跡は残らない。【選択図】図２
0003144634.tif 000002
【実用新案登録請求の範囲】
【請求項１】
ベースシート(３)の表面に相手接合に対する引掛かり突起群(４)が形成され、裏面に吸盤(５)が配備されている、滑止め部材。
【請求項２】
ベースシート(３)の表面に相手接合面(１)に対する引掛かり突起群(４)が形成され、裏面に滑止め層(６)が設けられている、滑止め部材。
【請求項３】
引掛かり突起群(４)は、ベースシート(３)に突設され先端に係止片(40)を有する樹脂製の細軸(41)の集合である、請求項１又は２に記載の滑止め部材。
【請求項４】
面ファスナーの雄面側シートの裏面に吸盤(５)を配備した、請求項１又は３に記載の滑止め部材。
【請求項５】
面ファスナーの雄面側シートの裏面に滑止め層(６)が設けられている、請求項２又は３に記載の滑止め部材。
【請求項６】
ベースシート(３)の一方の面に滑止め層(６)が設けられ、他方の面には吸盤(５)が設けられている、滑止め部材。
【考案の詳細な説明】
【技術分野】
【０００１】
本考案は、テーブルクロスや玄関マット等の被せ部材と、該被せ部材を被せる相手取付け面との間に介在させて、被せ部材の滑止めを計る、滑止め部材に関する。
【背景技術】
【０００２】
従来、テーブルクロスや玄関マット等の繊維質体である被せ部材は、金属質、樹脂質、ガラス質等の硬質の平坦面に対しては滑り易いので、種々の滑止め手段が実施されている。
例えば、被せ部材の裏面に直接に滑止め樹脂をコーティングしたものがある。
又、被せ部材の裏面に、面ファスナーのフック側シート(雄面側シート)とループ側シート(雌面側シート)の何れか一方のシートを接着し、他方のシートを被せ部材の相手取付け面に接着し、雄面と雌面を引掛け合って固定することも実施されている。
【考案の開示】
【考案が解決しようとする課題】
【０００３】
しかし、被せ部材の裏面に滑止め樹脂をコーティングしたものは、被せ部材を洗濯すると、コーティング樹脂層が劣化し、次第に滑止め機能が低下する問題があった。
【０００４】
面ファスナーを用いる場合は、両面粘着テープを用いることで、雄面側シート、雌面側シートを、被せ部材と相手取付け面に簡単に取り付けできる。しかし、繊維質体である被せ部材に対する接着の利きが悪くて、剥がれる虞れがある。又、雄面側シート及び／又は雌面側シートを剥がす必要が生じた場合、粘着テープの粘着剤が汚れとして残ってしまう虞れがある。
又、被せ部材を洗濯したときに、繊維体上の面ファスナーの雄面側シート或いは雌面側シートが繊維質体から剥がれ易くなる。
本考案は、上記問題を解決できる、被せ部材用の滑止め部材を明らかにするものである。
【課題を解決するための手段】
【０００５】
請求項１の滑止め部材(２)は、ベースシート(３)の表面に相手被せ部材(１)に対する引掛かり突起群(４)が形成され、裏面に吸盤(５)が配備されている。
【０００６】
請求項２の滑止め部材(２)は、ベースシート(３)の表面に相手被せ部材(１)に対する引掛かり突起群(４)が形成され、裏面に滑止め層(６)が設けられている。
【０００７】
請求項３は、請求項１又は２の滑止め部材(２)において、引掛かり突起群(４)は、ベースシート(３)に突設され先端に係止片(40)を有する樹脂製の細軸(41)の集合である。
【０００８】
請求項４は、請求項１又は３に記載の滑止め部材(２)において、面ファスナーの雄面側シートの裏面に吸盤(５)を配備して形成されている。
【０００９】
請求項５は、請求項２又は３に記載の滑止め部材(２)において、面ファスナーの雄面側シートの裏面に滑止め層(６)を設けて形成されている。
【００１０】
請求項６は、ベースシート(３)の一方の面に滑止め層(６)が設けられ、他方の面には吸盤(５)が設けられている。
【考案の効果】
【００１１】
請求項１の滑止め部材(２)は、引掛かり突起群(４)側の面を、繊維質体である被せ部材(１)に押し当てると、引掛かり突起群(４)が被せ部材(１)の繊維に絡まる。
滑止め部材(２)の吸盤(５)を、床面等、被せ部材(１)の相手取付け面に押し当てて吸着せしめると、被せ部材(１)を相手取付け面に固定できる。
被せ部材(１)と相手取付け面との間に、滑止め部材(２)を挟み込み、被せ部材(１)の上から押圧すると、滑止め部材(２)の引掛かり突起群(４)と被せ部材(１)の絡まり、及び吸盤(５)と相手取着け面の吸着を一度に行うことができる。
【００１２】
吸盤(５)による吸着力は、引掛かり突起群(４)と被せ部材(１)の絡まりにる係止力よりも強いので、被せ部材(１)を引っ張り上げると、被せ部材(１)が滑止め部材(２)から外れるだけで、滑止め部材(２)は相手取付け面から外れない。このため、被せ部材(１)を洗濯して、再度相手取付け面へ取り付ける場合に、相手取付け面に残っている滑止め部材(２)が位置決めの印となり、同じ位置に被せ部材(１)を配置できる。
被せ部材(１)及び該該被せ部材(１)を取り付ける相手取付け面に対して、滑止め部材(２)の固定に粘着テープを使用しないので、残存粘着剤による剥がし跡を残すことはない。
【００１３】
請求項２の滑止め部材(２)では、滑止め部材(２)に施した滑止め層(６)は、硬質な平坦面に対して、面に沿う方向にズレ難いので、被せ部材(１)に対する横方向の引っ張り対しては十分な滑り止め効果を発揮する。
上記滑止め層(６)は、相手取付け面から、引っ張り上げる力に対しては、殆んど抵抗がないので、被せ部材(１)を相手取付け面から取り外す必要がある場合、被せ部材(１)を持ち上げる力だけで、滑止め部材(２)ごと簡単に取り外すことができる。
相手取付け面に、滑止め部材(２)の跡形を残すこともない。
【００１４】
請求項３、４、５の滑止め部材(２)は、既存の面ファスナーの雄シートの裏面に、吸盤(５)又は滑止め層(６)を設けるだけで済み、安価に製作できる。
【００１５】
請求項６の滑止め部材(２)は、玄関マット、ソファーカバー等の繊維質体の裏面に樹脂をコーティングした被せ部材(１)に対して、滑止め層(６)を接触させ、吸盤(６)を相手取り付け面に吸着させることにより、被せ部材(６)に対する大きな滑り止め作用を発揮できる。
【考案を実施するための最良の形態】
【００１６】
第１実施例(図１、図２)
図１は、被せ部材(１)の裏面に滑止め部材(２)を装着した状態を示している。
実施例の被せ部材(１)は、全体が繊維質体である玄関マット(10)であるが、玄関マット等の厚手の繊維質体、或いはテーブルクロス、椅子やソファの背もたれカバー等の薄手の繊維質体の何れの被せ部材に対しても実施可能である。又、後記する滑止め部材(２)の引掛かり突起群(４)が被せ部材(１)の表面繊維と絡み合うことができれば、被せ部材(１)の種類は問わない。
【００１７】
略長方形の被せ部材(１)の裏面四隅に滑止め部材(２)が装着されている。
滑止め部材(２)は、軟質のベースシート(３)の一方の面に引掛かり突起群(４)を設け、他方の面に１又は複数の吸盤(５)を突設して構成される。
【００１８】
引掛かり突起群(４)は、ベースシート(３)上に密なるピッチで均一分布に突設され先端に係止片(40)を有する樹脂製の細軸(41)の集合である。
係止片(40)は、図２に示す如く、細軸(41)の先端を湾曲させたフック部(42)、又は図３に示す如く、細軸(41)の先端を拡大した瘤部(43)であり、何れも細軸(41)と一体に形成されている。
上記の図２、図３の引掛かり突起群(４)は、面ファスナーの雄面側シートとして公知である。
【００１９】
引掛かり突起群(４)の領域面積、即ち、ベースシート(３)の大きさ及び吸盤(５)の大きさ、個数は、滑止め部材(２)に要求される係止力に応じて、適宜決めればよい。
【００２０】
吸盤(５)は、一般的なゴム製の略円錐殻体形状に限らず、軟質発泡樹脂に設けた凹みが吸盤の機能を持つもの等、弾性変形して吸着する機能を発揮するものであれば、材質、形状は問わない。
【００２１】
然して、滑止め部材(２)の引掛かり突起群(４)側の面を、玄関マット(10)の裏面にに押し当てると、引掛かり突起群(４)が玄関マット(10)の繊維に絡まる。滑止め部材(２)の吸盤(５)を玄関マット(10)を載せる床面に押し当てて吸着せしめると、玄関マット(10)を床面に固定できる。
【００２２】
玄関マット(10)と床面との間に、滑止め部材(２)を挟み、玄関マット(10)の上から押圧すると、滑止め部材(２)の引掛かり突起群(４)と玄関マット(10)の繊維の絡まり、及び吸盤(５)と床面の吸着を一度に行うことができる。
【００２３】
吸盤による吸着力は、引掛かり突起群(４)と玄関マット(10)の絡まりにる係止力よりも強いので、玄関マット(10)を引っ張り上げると、玄関マット(10)が滑止め部材(２)から外れるだけで、滑止め部材(２)は床面から外れない。このため、玄関マット(10)を洗濯して、床面へ取り付ける場合に、床面に残っている滑止め部材(２)が位置決めの印となり、同じ位置に玄関マット(10)を配置できる。
【００２４】
第２実施例(図３)
滑止め部材(２)は、ベースシート(３)の表面に相手被せ部材(１)に対する引掛かり突起群(４)が形成され、裏面に摩擦係数が大である滑止め層(６)が設けられている。
滑止め樹脂層(６)は、一般に言われるゴム素材であることが望ましい。例えば、天然ゴム、合成ゴムである。合成ゴムは、摩擦係数の大である、ポリブタジエン系、ブタジエン・アクリロニトリル系、クロロブロン系の合成ゴムが望ましい。
滑止め樹脂層(６)は被せ部材(１)にコーティングし、或いは接着して形成できる。
【００２５】
滑止め部材(２)に施した滑止め層(６)は、硬質の平坦面に対して面接触して、面に沿う方向にズレ難いので、被せ部材(１)に対する横方向の引っ張り対しては十分な滑り止め効果を発揮する。
上記滑止め層(６)は、相手取付け面から、引っ張り上げる力に対しては、殆んど抵抗がないので、被せ部材(１)を相手取付け面から取り外す必要がある場合、被せ部材(１)を持ち上げる力だけで、滑止め部材(２)ごと簡単に取り外すことができる。
相手取付け面に、滑止め部材(２)の跡形を残すこともない。
【００２６】
第３実施例
面ファスナーの雄シートの裏面に、吸盤(５)又は滑止め層(６)を設けて、滑止め部材(２)を形成することができる。
周知の如く、面ファスナーは雄面側シートと雌面無端状側シートからなり、雄面側シートの表面に、前記した引掛かり突起群(４)と同様の引っ掛かり突起群が形成され、雌面側シートの表面に、引掛かり突起群が係合するループ群が形成されている。
既存の面ファスナーの雄面側シートの裏面に、吸盤(５)又は滑止め層(６)を設けるだけで済み、安価に製作できる。
【００２７】
第４実施例(図４)
第４実施例は、玄関マットの裏面に樹脂のコーティング層が形成されれている等、毛羽だっていない面に対して効果のある滑止め部材である。
滑止め部材(２)は、ベースシート(３)の一方の面に滑止め層(６)を有し、他方の面に吸盤(５)が設けている。
滑止め層(６)を玄関マットの裏面に接触させ、吸盤(６)を相手取付け面に吸着させて使用する。
【００２８】
上記説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【００２９】
【図１】滑止め部材を装着した玄関マットの背面図である。
【図２】図１Ａ−Ａ線に沿う断面図である。
【図３】第２実施例の滑止め部材の断面図である。
【図４】第４実施例の滑止め部材の断面図である。
【符号の説明】
【００３０】
１  被せ部材
２  滑止め部材
３  ベースシート
４  引掛かり突起群
40  係止片
５  吸盤
６  滑止め層
【図１】
0003144634.tif 000003
【図２】
0003144634.tif 000004
【図３】
0003144634.tif 000005
【図４】
0003144634.tif 000006